(57)【特許請求の範囲】
【請求項１】
自動車のボデー側に設けた掛止手段とドア側に設けた被掛止手段からなる掛止部の掛止状態を解除不能なロック状態と解除可能なアンロック状態とに選択的に構成する作動機構を備えてなる自動車用ドアロック装置であり、
前記作動機構は、インサイドハンドルの開操作により回動動作するインサイドレバーと、このインサイドレバーから伝達される操作力により動作して前記掛止部の掛止状態をロック状態およびアンロック状態に選択的に形成するオープンリンクと、このオープンリンクを動作方向において係合可能に支持し前記インサイドレバーから伝達される操作力により回動動作して前記掛止部の掛止状態をロック状態に形成する動作位置にある前記オープンリンクをアンロック状態に形成する動作位置へ変更させるキャンセルレバーを備え、前記インサイドレバーからの操作力が先ず前記インサイドレバーから前記オープンリンクに向けて伝達されることなく前記インサイドレバーから前記キャンセルレバーに伝達され、次いで前記インサイドレバーから前記オープンリンクに伝達されるように構成されていることを特徴とする自動車用ドアロック装置。
【請求項２】
請求項１に記載の自動車用ドアロック装置において、前記オープンリンクは、アンロック状態に形成する動作位置にあるとき、前記インサイドレバーから伝達される操作力により解除動作して前記掛止部の掛止状態を解除させるように構成されていることを特徴とする自動車用ドアロック装置。
【発明の詳細な説明】
【０００１】
【発明の属する技術分野】
本発明は、自動車用ドアロック装置に関する。
【０００２】
【従来の技術】
自動車用ドアロック装置の一形式として、特公平７−１０３７３５号公報にて提案されているように、自動車のボデー側に設けた掛止手段（ストライカ）とドア側に設けた被掛止手段（ラッチとポール等）とからなる掛止部の掛止状態を解除不能なロック状態と解除可能なアンロック状態とに選択的に構成する作動機構を備えた形式の自動車用ドアロック装置がある。
【０００３】
また、当該形式のドアロック装置には、運転席側からのドアの開放操作を容易にするため、掛止部の掛止状態が解除不能なロック状態にある場合、ドアの車内側に設けたインサイドハンドルをドア開操作することにより、掛止部の掛止状態が解除可能なアンロック状態（ロック状態をキャンセルするキャンセル作動）に形成し、同時に掛止部の掛止状態を解除状態（ドアを開放し得るオープン作動）にし得る、所謂、ワンモーション機能を有する形式のドアロック装置がある。
【０００４】
【発明が解決しようとする課題】
ところで、上記したワンモーション機能を有する形式のドアロック装置においては、一般に、インサイドハンドルの開操作によりキャンセル作動とオープン作動を同一の機能部材または複数の機能部材を関連させて略同時に行うように構成されていて、ワンモーション作動を行うには瞬間的に大きな操作力を必要とする。このため、当該ドアロック装置においては、ワンモーション作動を行うべきインサイドハンドルの開操作においても、開操作には瞬間的に大きな操作力が必要となる。
【０００５】
従って、本発明の目的はかかる問題に対処することにあり、特に、キャンセル作動とオープン作動をそれぞれ異なる機能部材で、互いに関連を断った状態で順次行うことにより、インサイドハンドルの開操作において、瞬間的に大きな操作力が不要なドアロック装置を提供することにある。
【０００６】
【課題を解決するための手段】
本発明は自動車用ドアロック装置に関し、特に、自動車のボデー側に設けた掛止手段とドア側に設けた被掛止手段からなる掛止部の掛止状態を解除不能なロック状態と解除可能なアンロック状態とに選択的に構成する作動機構を備えてなる形式の自動車用ドアロック装置を適用とするものである。
【０００７】
しかして、本発明に係る自動車用ドアロック装置は上記した形式のドアロック装置であって、前記作動機構を、インサイドハンドルの開操作により回動動作するインサイドレバーと、このインサイドレバーから伝達される操作力により動作して前記掛止部の掛止状態をロック状態およびアンロック状態に選択的に形成するオープンリンクと、このオープンリンクを動作方向において係合可能に支持し前記インサイドレバーから伝達される操作力により回動動作して前記掛止部の掛止状態をロック状態に形成する動作位置にある前記オープンリンクをアンロック状態に形成する動作位置へ変更させるキャンセルレバーを備え、前記インサイドレバーからの操作力が先ず前記インサイドレバーから前記オープンリンクに向けて伝達されることなく前記インサイドレバーから前記キャンセルレバーに伝達され、次いで前記インサイドレバーから前記オープンリンクに伝達されるように構成されていることを特徴とするものである。
【０００８】
本発明に係る自動車用ドアロック装置においては、前記オープンリンクは、アンロック状態に形成する動作位置にあるとき、前記インサイドレバーから伝達される操作力により解除動作して前記掛止部の掛止状態を解除させるように構成されている。
【０００９】
【発明の作用・効果】
本発明に係る自動車用ドアロック装置においては、ドア内側から入力される操作力を伝達するインサイドレバーからの操作力は、先ずインサイドレバーからオープンリンクに向けて伝達されることなくインサイドレバーからキャンセルレバーに伝達されてキャンセル作動がなされ、次いでインサイドレバーからオープンリンクに伝達されてオープン作動がなされる。このワンモーション作動は、キャンセル作動とオープン作動を、それぞれ異なる機能部材を利用して、両機能部材の関連を断った状態で順次行われるものであり、インサイドハンドルの開操作時の操作力はキャンセル作動とオープン作動の操作力としてそれぞれ異なる機能部材に伝達されることから、インサイドハンドルの開操作には、瞬間的に大きな操作力は不要となる。
【００１１】
【発明の実施の形態】
以下、本発明を図面に基づいて説明すると、図１は本発明の一例に係る自動車用ドアロック装置を分解した斜視図、図２は図１の一部分を示す拡大斜視図、図３は図１の他の一部分を示す拡大斜視図、図４は同ドアロック装置の一部縦断正面図、図５は同ドアロック装置の図４の矢印５−５線方向における縦断面図、図６は同ドアロック装置の図４の矢印６−６線方向における横断面図、図７は同ドアロック装置のアンロック状態における一部の構成部材の動作状態を示す側面図、図８は同ドアロック装置のロック状態における一部の構成部材の動作状態を示す側面図である。なお、図１に示す各矢印方向は、自動車の車体を基準とする前後方向、上下方向、および内外方向を示している。
【００１２】
当該ドアロック装置はドアの内部に配設されるもので、ハウジング１０内に第１作動機構２０および第２作動機構３０を収容して構成されている。ハウジング１０は、ハウジング本体１１と、第１カバー体１２と、第２カバー体１３からなるもので、ハウジング本体１１は、内側に開口する皿状の第１ケース部１１ａおよび第１ケース部１１ａとは直交して後側に開口する皿状の第２ケース部１１ｂを有し、第１ケース部１１ａの開口部側には第１カバー体１２が取付けられ、かつ、第２ケース部１１ｂの開口部側には第２カバー体１３が取付けられている。これにより、第１ケース部１１ａの開口部は第１カバー体１２にて閉塞され、かつ、第２ケース部１１ｂの開口部は第２カバー体１２にて閉塞されている。
【００１３】
ハウジング１０においては、ハウジング本体１１の第１ケース部１１ａと第１カバー体１２間の内部に、アクチュエータである後述する電動モータ２５への給電用プレート１４が配設されているとともに、第１作動機構２０の各構成部材が配設されている。また、ハウジング本体１１の第２ケース部１１ｂと第２カバー体１３間の内部に、サブベースプレート１５が配設されているとともに、第２作動機構３０の各構成部材が配設されている。第２カバー体１３の後側の開口部側にはベースプレート１６が取付けられて、ベースプレート１６が同開口部を閉塞している。第２カバー体１３とベースプレート１６間の内部には、被掛止機構４０の各構成部材が配設されている。
【００１４】
第１作動機構２０を構成する第１インサイドレバー２１は、本発明における伝達手段に該当するもので、第１カバー体１２の内面側に支持ピン２１ａを介して、上下方向かつ前後方向へ回動可能に取付けられている。また、第１カバー体１２の外面側には、第２インサイドレバー５１が同一の支持ピン２１ａを介して、上下方向かつ前後方向へ回動可能に取付けられている。第１インサイドレバー２１は内側に向けて突出する係合突起部２１ｂを備え、係合突起部２１ｂは第１カバー体１２の円弧状孔１２ａを貫通して第２インサイドレバー５１の連結孔５１ａに係合して、第１インサイドレバー２１を第２インサイドレバー５１に一体的に連結している。
【００１５】
また、第１インサイドレバー２１は外側に向けて突出する係合突起部２１ｃを備え、係合突起２１ｃは図８の状態で第１インサイドレバー２１が時計方向に回動した際にキャンセルレバー２２と係合してキャンセルレバー２２を時計方向へ回動させる。第２インサイドレバー５１は、ドアの車内側に設けた図示しないインサイドハンドルに連結するインサイドケーブル５２に連結されていて、インサイドハンドルの開方向への操作（開操作）により図１、図２及び図７の図示時計方向へ回動し、第１インサイドレバー２１を同方向へ回動させる。
【００１６】
キャンセルレバー２２は、本発明における動作位置変更手段に該当するもので、第１カバー体１２に一体的に形成した支持ピン２２ａを介して、第１カバー体１２の内面側に回動可能に取付けられているもので、その外側に係合ピン２２ｂを備えている。係合ピン２２ｂは、キャンセルレバー２２の外側に位置するオープンリンク２３のくの字状に屈曲する第１係合溝２３ａに挿入されている。
【００１７】
オープンリンク２３は、本発明のおける操作手段に該当するものでキャンセルレバー２２の外側に位置し、後述するアクティブレバー２７の係合ピン２７ｂが挿通する長孔状の第２係合溝２３ｂ、第１インサイドレバー２１の先端部が当接して係合するＬ字状の係合片部２３ｃ、および、後述するオープンレバー３１に連結されるための連結部２３ｄを備えていて、キャンセルレバー２２、アクティブレバー２７、およびオープンレバー３１にて支持されている。
【００１８】
ロッキングレバー２４は、ハウジング本体１１に一体的に形成した支持ピン２４ｃ(図４参照)を介して、ハウジング本体１１の第１ケース部１１ａの内面側に上下方向かつ前後方向へ回動可能に取付けられているもので、ロッキングケーブル５３の取付孔２４ａ、および、後述するアクティブレバー２７の係合ピン２７ｂが挿通する長孔状の係合溝２４ｂを備えている。ロッキングケーブル５３は、ドアの車内側に設けた図示しないロックノブに連結されているもので、ロックノブがロック操作された場合、その操作力をロッキングレバー２４に伝達して、ロッキングレバー２４を図１の図示時計方向へ回動させる。
【００１９】
電動モータ２５は、電動式アクチュエータであって、第１作動機構２０に対する操作力を出力すべく機能する。電動モータ２５は、第１カバー体１２の内面側に取付けられている。電動モータ２５はその出力軸にウォーム２５ａを備え、ウォーム２５ａにはホイールギヤ２６が噛合している。
【００２０】
ホイールギヤ２６は、電動モータ２５の出力部に該当するもので、その外側に前後一対の係合ピン２６ａ，２６ｂを備えていて、第１カバー体１２の内面側（第１カバー体１２に一体的に形成した支持ボス２６ｃ）に回転可能に支持されている。両係合ピン２６ａ，２６ｂは、ホイールギヤ２６の回転中心を挟んで前後に所定間隔を保持して配置されている。ホイールギヤ２６の各係合ピン２６ａ，２６ｂは、アクティブレバー２７の係合凹所（カム凹所）２７ｃに臨んでいる。
【００２１】
アクティブレバー２７は、ホイールギヤ２６とオープンリンク２３間に位置していて、第１カバー体１２に一体的に形成した支持ボス２７ｆを介して、第１カバー体１２の内面側に回動可能に支持されている。アクティブレバー２７のレバー本体２７ａには、その外側に突出する係合ピン２７ｂを備えるとともに、その内面側に開口する係合凹所２７ｃを備え、また、レバー本体２７ａの上端部にはバネ特性を有する突起部２７ｄを備えるとともに、レバー本体２７ａの突起部２７ｄとの境界部には緩衝ゴム２７ｅを備えている。
【００２２】
アクティブレバー２７においては、係合ピン２７ｂをオープンリンク２３の第２係合溝２３ｂおよびロッキングレバー２４の係合溝２４ｂを貫通させていて、係合凹所２７ｃにはホイールギヤ２６の各係合ピン２６ａ，２６ｂが臨んでいるとともに、突起部２７ｄの先端が第１カバー体１２の内側縁部の周面に弾撥的に当接している。アクティブレバー２７の係合凹所２７ｃは、ホイールギヤ２６が正逆回転した際、前側ピン２６ａおよび後側ピン２６ｂが選択的に係合して、アクティブレバー２７を図示時計および反時計方向へ回動させる形状に形成されている。アクティブレバー２７の突起部２７ｄの先端は、アクティブレバー２７が回動する際、第１カバー体１２の内側縁部の周面を摺動して移動し、同周面上に前後に設けた係合凹所１２ｂ，１２ｃ(図７参照)に選択的に係合する。この際、緩衝ゴム２７ｅはハウジング本体１１の第１ケース部１１ａの内面側に設けた各ストッパ１１ｃ，１１ｄに選択的に当接する。
【００２３】
キーレバー２８は、円柱状の柱状本体２８ａとそれに一体に設けたレバー部２８ｂとからなるもので、ハウジング本体１１の第１ケース部１１ａに一体的に形成した支持ボス２８ｅと第１カバー体１２に一体的に形成した支持ボス２８ｆとにアイドルレバー２９とともに回転自在に支持されており、柱状本体２８ａには図示しないキーシリンダから突出する突片の先端部が嵌合する嵌合溝２８ｃを備えるとともに、レバー部２８ｂの背面にはアイドルレバー２９に設けた円弧状の係合溝２９ａに挿入される係合ピン２８ｄを備えている。キーレバー２８は、キーブレード(図示省略)によってキーシリンダを回動操作することにより回動し、係合ピン２８ｄを介してアイドルレバー２９を回動させ、アイドルレバー２９に一体的に形成した連結ピン２９ｂを介してアクティブレバー２７を図示時計方向および反時計方向へ選択的に回動させる。
【００２４】
第２作動機構３０の各構成部材は、ハウジング本体１１の第２ケース部１１ｂと第２カバー体１３間にてその内部に配設されている。第２作動機構３０を構成するオープンレバー３１は、第２ケース部１１ｂとサブベースプレート１５間にて、支持ピン３１ａおよびトーションスプリング３１ｂを介して、第２ケース部１１ｂとサブベースプレート１５に上下方向かつ内外方向へ回動可能に支持されている。オープンレバー３１の一方の回動端部３１ｃには、ドアの車外側に設けた図示しないアウトサイドハンドルに連結するアウトサイドリンクが連結され、かつ、他方の回動端部３１ｄには、オープンリンク２３の連結部２３ｄが嵌着されて連結されている。オープンレバー３１は、アウトサイドハンドルの開方向への操作（開操作）により、トーションスプリング３１ｂに抗して図４の反時計方向へ回動する。リフトレバー３２は、第２カバー体１３とブッシュ３３を貫通して延びる後述するポール４２の軸部４２ｂの外周に一体回転可能に嵌合していて、その周縁部に設けた係合片３２ａがオープンリンク２３の係合片部２３ｃの上端縁の上方に臨んでいる。
【００２５】
被掛止機構４０は、ラッチ４１、ポール４２、および、これらをそれぞれ付勢する一対のトーションスプリング４３，４４を備えているもので、第２カバー体１３とベースプレート１６間にてその内部に配設されている。ラッチ４１は、本発明における被掛止手段に該当するもので、サブベースプレート１５と第２カバー体１３とベースプレート１６を貫通してサブベースプレート１５とベースプレート１６によって支持された支持ピン４１ａを介して、第２カバー体１３とベースプレート１６間にて回転可能に支持されていて、支持ピン４１ａの外周に嵌合されたトーションスプリング４３の一端が掛止されている。トーションスプリング４３の他端は第２カバー体１３側に掛止されていて、ラッチ４１の回転を所定の力で規制し、ラッチ４１が回転した際にはラッチ４１を回転復帰すべく付勢する。ラッチ４１は、トーションスプリング４３の作用にて、その掛止溝４１ｂの開口部がベースプレート１６に設けた挿入溝１６ａの開口部に略一致するように保持されている。
【００２６】
ポール４２は、ブロック状のポール本体４２ａと、ポール本体４２ａに略直交して延びる軸部４２ｂからなるもので、軸部４２ｂは第２カバー体１３とサブベースプレート１５とブッシュ３３を貫通してハウジング本体１１の第２ケース部１１ｂ内に臨んだ状態で、ブッシュ３３を介してサブベースプレート１５に、かつ、ブッシュ３４を介してベースプレート１６に回転可能に支持されている。ポール４２の軸部４２ｂには、ポール本体４２ａとサブベースプレート１５間の中間部位の外周にトーションスプリング４４が嵌合し、かつ、その先端の部位にリフトレバー３２が一体回転可能に嵌着（図５に示したように嵌合後にカシメ固定）されている。トーションスプリング４４は、その一端をポール４２側に掛止されかつ他端をサブベースプレート１５側に掛止されていて、ポール４２の回転を所定の力で規制するとともに、ポール４２が回転した際にはポール４２を回転復帰すべく付勢する。ポール４２は、ポール本体４２ａをラッチ４１の外周に当接させている。
【００２７】
ラッチ４１は、車体のボデー側に設けたストライカ４５がベースプレート１６の挿入溝１６ａを通して相対的に進入した際には、ストライカ４５の押動作用にてトーションスプリング４３に抗して回転しつつストライカ４５を受け入れ、この間、ポール４２はラッチ４１の外周に摺接しつつ外周の掛止部４１ｃに相対的に移行して、同掛止部４１ｃに掛止される。これにより、ラッチ４１は、ストライカ４５を受け入れた回転状態でポール４２により保持され、ストライカ４５を掛止するとともにこの掛止状態を保持する。この状態では、ドアは閉止状態にある。
【００２８】
ラッチ４１は、この掛止状態では、トーションスプリング４３にて復帰方向へ付勢されており、リフトレバー３２が回動されてポール４２が回転しラッチ４１の掛止部４１ｃから離脱した際には、トーションスプリング４３の付勢力で回動復帰するとともに、掛止溝４１ｂの開口部がベースプレート１６に設けた挿入溝１６ａの開口部に一致する方向へ回転する。この状態では、ストライカ４５はラッチ４１の掛止溝４１ｂおよびベースプレート１６に設けた挿入溝１６ａから退出可能である。ドアは、この状態では開放可能である。ポール４２は、ラッチ４１とストライカ４５とを掛止状態および非掛止状態を選択的に構成すべく機能するもので、トーションスプリング４４に抗して回転操作されると、ラッチ４１の掛止部４１ｃから離脱してラッチ４１とストライカ４５との掛止状態を解除する。
【００２９】
当該ドアロック装置においては、ラッチ４１とストライカ４５の掛止状態の解除が不能なロック状態を構成する作動、ラッチ４１とストライカ４５の掛止状態の解除が可能なアンロック状態を構成する作動、および、アンロック状態においてドアを開閉操作する場合の作動を、下記の８通りの例について説明する。
【００３０】
第１の作動は、当該ドアロック装置が図７に示すアンロック状態にある場合、車内でのインサイドハンドル操作によりドアを開放可能とする作動である。当該ドアロック装置において、インサイドハンドルを開操作すると、インサイドケーブル５２を介して第２インサイドレバー５１が図１の時計方向に回動して第１インサイドレバー２１を図７の時計方向へ回動させる。第１インサイドレバー２１の図７の時計方向への回動時、その先端部がオープンリンク２３の係合片部２３ｃの下面に係合してオープンリング２３を上方へ押し上げ、オープンリンク２３は係合片部２３ｃの上端縁部をリフトレバー３２の係合片３２ａに係合させてリフトレバー３２を回転させ、リフトレバー３２はポール４２を回転させてラッチ４１の掛止部４１ｃから離脱させる。
【００３１】
これにより、ラッチ４１はポール４２による回転規制を解除されてトーションスプリング４３の付勢力により回動復帰し、ドアを開放させる力によりラッチ４１がストライカ４５から離間する方向へ移動すると、ラッチ４１は回動復帰しつつストライカ４５との掛止状態を解除してストライカ４５から引き離される。すなわち、インサイドハンドルの開操作により、ラッチ４１とストライカ４５との掛止状態を解除してドアを開放させることができる。
【００３２】
第２の作動は、当該ドアロック装置が図７に示すアンロック状態にある場合、車外でのアウトサイドハンドル操作によりドアを開放可能とする作動である。当該ドアロック装置において、アウトサイドハンドルを開操作すると、オープンレバー３１がトーションスプリング３１ｂに抗して回動してオープンリンク２３を上方へ押し上げ、図９に示すように、オープンリンク２３は係合片部２３ｃの上端縁部をリフトレバー３２の係合片３２ａに係合させてリフトレバー３２を回転させ、リフトレバー３２はポール４２を回転させてラッチ４１の掛止部４１ｃから離脱させる。
【００３３】
これにより、ラッチ４１はポール４２による回転規制を解除されてトーションスプリング４３の付勢力により回動復帰し、ドアを開放させる力によりラッチ４１がストライカ４５から離間する方向へ移動すると、ラッチ４１は回動復帰しつつストライカ４５との掛止状態を解除してストライカ４５から引き離される。すなわち、アウトサイドハンドルの開操作により、ラッチ４１とストライカ４５との掛止状態を解除してドアを開放させることができる。
【００３４】
第３の作動は、車内でのロックノブ操作により、ラッチ４１とストライカ４５の掛止状態の解除が不能となるロック状態を構成する作動である。当該ドアロック装置が図７に示すアンロック状態にある場合、ロックノブのロック操作によりロッキングケーブル５３が操作されるとロッキングレバー２４が回動して、アクティブレバー２７が図示反時計方向に回動してオープンリンク２３をオープンレバー３１との連結部を支点として、図７に示すアンロック位置（アンロック状態を形成する動作位置）から図８に示すロック位置（ロック状態を形成する動作位置）へ傾動（移動）させる。このため、インサイドハンドルやアウトサイドハンドルの開操作によってオープンリンク２３を図１０に示すように移動させても、オープンリンク２３はリフトレバー３２とは係合せず、リフトレバー３２およびポール４２は回転しない。この結果、インサイドハンドルやアウトサイドハンドルが開操作されても、ラッチ４１とストライカ４５との掛止状態が解除可能なアンロック状態は構成されず、ロック状態が保持されてドアが開放されることはない。
【００３５】
第４の作動は、車外でのキーブレードによるキーシリンダの回動操作により、当該ドアロック装置をロック状態、およびアンロック状態に構成する作動である。当該ドアロック装置において、キーブレードによりキーシリンダを回動操作すると、キーレバー２８が回動して、アイドルレバー２９を介してアクティブレバー２７を図７に示す位置と図８に示す位置とに選択的に回動させる。これにより、アクティブレバー２７はオープンリンク２３を、図７に示すアンロック位置と図８に示すロック位置とに選択的に移動させる。このため、キーブレードによるキーシリンダの回動操作により、ラッチ４１とストライカ４５との掛止状態を、アウトサイドハンドルの開操作によって解除可能なアンロック状態と、解除不能なロック状態とに選択的に構成することができる。
【００３６】
第５の作動は、例えば、キーブレードに設けたロック・アンロックスイッチの車外でのリモコン操作等により、電動モータ２５を駆動させて当該ドアロック装置をロック状態およびアンロック状態に構成する作動である。当該ドアロック装置において、キーブレードのロック・アンロックスイッチを操作すると、電動モータ２５が回転してウォーム２５ａを介してホイールギヤ２６を所定量回転させ、ホイールギヤ２６は正逆回転時、係合ピン２６ａ，２６ｂのいずれかをアクティブレバー２７の係合凹所２７ｃの一部に選択的に係合させて、アクティブレバー２７を図７に示す位置と図８に示す位置とに回動させる。これにより、アクティブレバー２７はオープンリンク２３を、図７に示すアンロック位置と図８に示すロック位置とに選択的に移動させる。このため、キーブレードのロック・アンロックスイッチの操作により、ラッチ４１とストライカ４５との掛止状態を、アウトサイドハンドルの開操作によって解除可能なアンロック状態と、解除不能なロック状態とに選択的に構成することができる。
【００３７】
第６の作動は、ドアを開放した状態でロックノブの手動操作で当該ドアロック装置をロック状態に構成して、アウトサイドハンドル、インサイドハンドル等のドアハンドルを操作することなくドアを閉操作した場合の作動(キャンセル作動)である。当該ドアロック装置においては、ドアが閉じる際、ストライカ４５によってラッチ４１が回動されるのに伴ってポール４２が回転して、リフトレバー３２を図１１の２点鎖線に示す位置から実線で示す位置に回動させ、キャンセルレバー２２を図１１の２点鎖線に示す位置から実線で示す位置に回動させる。このため、キャンセルレバー２２は、係合ピン２２ｂを介して、２点鎖線で示すロック位置にあるオープンリンク２３を実線で示すアンロック位置に移動させる。これにより、ラッチ４１とストライカ４５との掛止状態が解除可能なアンロック状態となり、その後のアウトサイドハンドル、インサイドハンドル等のドアハンドルの開操作によってドアを開けることができる。
【００３８】
第７の作動は、ドアを開放した状態でロックノブの手動操作で当該ドアロック装置をロック状態に構成し、かつ、アウトサイドハンドルを開操作した状態にてドアを閉操作した場合の作動（キーレスロック作動）である。当該ドアロック装置においては、ロック状態でアウトサイドハンドルが開操作されている状態では、図１２に示すように、オープルレバー３１が回動されてオープンリンク２３が上方へ押されており、キャンセルレバー２２の係合ピン２２ｂがオープンリンク２３における第１係合溝２３ａの下方部位にてフリーな状態にある。
【００３９】
このため、この状態でドアを閉めると、ストライカ４５によってラッチ４１が回動されるのに伴ってポール４２とリフトレバー３２が回動して、キャンセルレバー２２を図１２の時計方向へ回動するが、キャンセルレバー２２の係合ピン２２ｂはオープンリンク２３の第１係合溝２３ａ内で空振りして、オープンリンク２３をアンロック位置へ移動させることはなく、オープンリンク２３はロック位置に保持される。従って、ドアを閉じた際には、当該ドアロック装置を、ラッチ４１とストライカ４５との掛止状態を解除不能なロック状態に構成することができる。なお、ドアを閉じた後にアウトサイドハンドルの開操作をやめると、図１２に示した状態から図８に示した状態となってロック状態が維持される。
【００４０】
第８の作動は、当該ドアロック装置がラッチ４１とストライカ４５との掛止状態が解除不能なロック状態にある場合、インサイドハンドルを開操作することにより、ロック状態のキャンセル作動とドアの開放作動が連続して行える作動（ワンモーション作動）である。当該ドアロック装置においては、インサドハンドルを開操作すると、第２インサイドレバー５１および第１インサイドレバー２１が一体に回動して、先ず、第１インサイドレバー２１の係合突起２１ｃがキャンセルレバー２２を回動させて、図１３の２点鎖線で示すロック位置にあるオープンリンク２３を実線で示すアンロック位置に移動させるとともに、アクティブレバー２７およびアイドルレバー２８を図１３の２点鎖線で示すロック位置から実線で示すアンロック位置に回動させ、その後、第１インサイドレバー２１によりオープンリンク２３が押し上げられてリフトレバー３２を回動させて、ポール４２を回転させる。これにより、ドアを開放することができる。
【００４１】
このように、当該ドアロック装置においては、第１作動機構２０および第２作動機構３０の全ての構成部材を閉鎖状態にあるハウジング１０内に収容していて、ハウジング１０外へは露出させない構造として、作動機構２０，３０の各構成部材がドアの隙間を通して外部から操作されることがないようにし、かつ、各構成部材がドア内に侵入する水に曝されることがないようにしている。
【００４２】
ところで、当該ドアロック装置においては、ラッチ４１とストライカ４５との掛止状態が解除不能なロック状態にある場合にインサイドハンドルを開操作するワンモーション作動では、インサイドハンドルの操作力を出力する第１インサイドレバー２１は、先ずキャンセルレバー２２を回動させてキャンセル作動（オープンリンク２３の傾動）とアクティブレバー２７およびアイドルレバー２８の回動を行い、その後にアクティブレバー２７およびアイドルレバー２８とは自由状態でオープンリンク２３を押し上げてオープン作動を行う。
【００４３】
当該ワンモーション作動は、キャンセル作動とオープン作動を、キャンセルレバー２２（キャンセル機能部材）、アクティブレバー２７およびアイドルレバー２８とオープンリンク２３（オープン機能部材）というそれぞれ異なる機能部材を利用して、これらの機能部材の関連を断った状態で順次行われるものであり、インサイドハンドルの開操作時の操作力はキャンセル作動とオープン作動の操作力としてそれぞれ異なる機能部材に伝達されることから、インサイドハンドルの開操作には、瞬間的な大きな操作力は不要となる。
【図面の簡単な説明】
【図１】本発明の一例に係るドアロック装置の分解斜視図である。
【図２】図１の一部分を示す拡大斜視図である。
【図３】図１の他の一部分を示す拡大斜視図である。
【図４】同ドアロック装置の一部縦断正面図である。
【図５】同ドアロック装置における図４の５−５線に沿う縦断面図である。
【図６】同ドアロック装置における図４の６−６線に沿う横断平面図である。
【図７】同ドアロック装置のアンロック状態における各構成部材の動作状態を示す側面図である。
【図８】同ドアロック装置のロック状態における各構成部材の動作状態を示す側面図である。
【図９】同ドアロック装置のアンロック状態におけるアウトサイドハンドル操作による各構成部材の動作状態を示す側面図である。
【図１０】同ドアロック装置のロック状態におけるアウトサイドハンドル操作による各構成部材の動作状態を示す側面図である。
【図１１】同ドアロック装置のキャンセル作動による各構成部材の動作状態を示す側面図である。
【図１２】同ドアロック装置のキーレスロック作動による各構成部材の動作状態を示す側面図である。
【図１３】同ドアロック装置のワンモーション作動による各構成部材の動作状態を示す側面図である。
【符号の説明】
１０…ハウジング、１１…ハウジング本体、１１ａ…第１ケース部、１１ｂ…第２ケース部、１１ｃ，１１ｄ…ストッパ、１２…第１カバー体、１２ａ…円弧状長孔、１２ｂ，１２ｃ…係合凹所、１３…第２カバー体、１３ａ…貫通孔、１４…給電用プレート、１５…サブベースプレート(取付基板)、１６…ベースプレート、１６ａ…挿入溝、２０…第１の作動機構、２１…第１インサイドレバー、２１ａ…支持ピン、２１ｂ，２１ｃ…係合突起部、２２…キャンセルレバー、２２ａ…支持ピン、２２ｂ…係合ピン、２３…オープンリンク、２３ａ…第１係合溝、２３ｂ…第２係合溝、２３ｃ…係合片部、２３ｄ…連結部、２４…  ロッキングレバー、２４ａ…取付孔、２４ｂ…係合溝、２４ｃ…、２５…電動モータ、２５ａ…ウォーム、２６…ホイールギヤ、２６ａ，２６ｂ…係合ピン、２７…アクティブレバー、２７ａ…レバー本体、２７ｂ…係合ピン、２７ｃ…係合凹所、２７ｄ…突起部、２７ｅ…緩衝ゴム、２７ｆ…支持ボス、２８…キーレバー、２８ａ…柱状本体、２８ｂ…レバー部、２８ｃ…嵌合溝、２８ｄ…係合ピン、２８ｅ，２８ｆ…支持ボス、２９…アイドルレバー、２９ａ…係合溝、２９ｂ…連結ピン、、３０…第２作動機構、３１…オープンレバー、３１ａ…支持ピン、３１ｂ…トーションスプリング、３１ｃ，３１ｄ…回動端部、３２…リフトレバー、３２ａ…係合片、３３，３４…ブッシュ、４０…被掛止機構、４１…ラッチ、４１ａ…支持ピン、４１ｂ…掛止溝、４１ｃ…掛止部、４２…ポール、４２ａ…ポール本体、４２ｂ…軸部、４３，４４…トーションスプリング、４５…ストライカ、５１…第２インサイドレバー、５１ａ…連結孔、５２…インサイドケーブル、５３…ロッキングケーブル。
【図１】
0004061809.tif 000002
【図２】
0004061809.tif 000003
【図３】
0004061809.tif 000004
【図４】
0004061809.tif 000005
【図５】
0004061809.tif 000006
【図６】
0004061809.tif 000007
【図７】
0004061809.tif 000008
【図８】
0004061809.tif 000009
【図９】
0004061809.tif 000010
【図１０】
0004061809.tif 000011
【図１１】
0004061809.tif 000012
【図１２】
0004061809.tif 000013
【図１３】
0004061809.tif 000014